【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
液体を収容することができる液体収容室と、
液体噴射装置に前記液体を供給することができる液体供給部と、
前記液体収容室から前記液体供給部に至る前記液体の流通経路の中において、前記液体収容室と前記液体供給部との間に設けられ、前記液体収容室から前記液体を送出する液体収容室送出口よりも上部に位置する流路部分を有する第１の液体流路と、を備え、
前記液体噴射装置に装着され使用される際の姿勢である使用姿勢において、前記第１の液体流路は、前記液体が前記流通経路を上方に向かう部分となる第１の流路部分と、前記第１の流路部分と前記液体供給部との間に位置し、前記液体が前記流通経路を下方に向かう部分となる第２の流路部分とを有する、ことを特徴とする液体容器。
【請求項２】
請求項１記載の液体容器であって、さらに、
前記流通経路の中において、前記液体収容室と前記液体供給部との間に設けられ、前記液体の有無を検知することができる液体センサ部と、を備え、
前記流通経路の中において、前記第１の液体流路が前記液体収容室と前記液体センサ部との間に位置する、ことを特徴とする液体容器。
【請求項３】
請求項１記載の液体容器であって、さらに、
前記液体収容室内に設けられる第１の攪拌部を備え、
前記液体噴射装置によって前記液体収容室が往復運動されるとき、前記第１の攪拌部が前記液体収容室とは異なる動きをして前記液体収容室内の液体を攪拌するものである、ことを特徴とする液体容器。
【請求項４】
請求項２記載の液体容器であって、さらに、
前記流通経路の中において、前記液体センサ部と前記液体供給部との間に設けられ、前記液体を収容することができるバッファ室と、
前記流通経路の中において、前記液体センサ部と前記バッファ室との間に設けられる第２の液体流路と、
前記バッファ室内に設けられる第２の攪拌部と、を備え、
前記液体噴射装置によって前記液体収容室が往復運動されるとき、前記第２の攪拌部が前記バッファ室とは異なる動きをして前記バッファ室内の液体を攪拌するものである、ことを特徴とする液体容器。
【請求項５】
液体を収容することができる液体収容室と、
液体噴射装置に前記液体を供給することができる液体供給部と、
前記液体収容室から前記液体供給部に至る前記液体の流通経路の中において、前記液体収容室と前記液体供給部との間に設けられ、前記液体の有無を検知することができる液体センサ部と、
前記流通経路の中において、前記液体センサ部と前記液体供給部との間に設けられ、前記液体を収容することができるバッファ室と、
前記流通経路の中において、前記液体センサ部と前記バッファ室との間に設けられ、前記液体センサ部から前記液体を送出する液体センサ部送出口よりも上部に位置する流路部分を有する液体流路と、を備え、
前記液体容器が前記液体噴射装置に装着され使用される際の姿勢である使用姿勢において、前記液体流路は、前記液体が前記流通経路を上方に向かう部分となる第１の流路部分と、前記第１の流路部分と前記液体供給部との間に位置し、前記液体が前記流通経路を下方に向かう部分となる第２の流路部分とを有する、ことを特徴とする液体容器。
【請求項６】
請求項５記載の液体容器であって、さらに、
前記流通経路の中において、前記液体収容室と前記液体供給部との間に設けられ、前記液体収容室から前記液体を送出する液体収容室送出口よりも上部に位置する流路部分を有する他の液体流路と、を備える、ことを特徴とする液体容器。
【請求項７】
液体を収容することができる液体収容室と、
液体噴射装置に前記液体を供給することができる液体供給部と、
前記液体収容室から前記液体供給部に至る前記液体の流通経路の中において、前記液体収容室と前記液体供給部との間に設けられ、前記液体の有無を検知することができる液体センサ部と、
前記液体収容室から前記液体供給部に至る前記液体の流通経路の中において、前記液体センサ部と前記液体供給部との間に設けられ、前記液体を収容することができるバッファ室と、
前記液体収容室内に設けられる第１の攪拌部と、
前記バッファ室内に設けられる第２の攪拌部と、を備え、
前記液体噴射装置によって前記液体収容室および前記バッファ室が往復運動されるとき、前記第１の攪拌部が前記液体収容室とは異なる動きをして前記液体収容室内の液体を攪拌し、前記第２の攪拌部が前記バッファ室とは異なる動きをして前記バッファ室内の液体を攪拌するものである、ことを特徴とする液体容器。
【請求項８】
請求項７記載の液体容器であって、さらに、
前記液体収容室から前記液体を送出する液体収容室送出口と、前記液体センサ部内に前記液体を受け入れる液体センサ部流入口と、を接続する第１の液体流路を備え、
前記第１の液体流路は、前記液体容器が前記液体噴射装置に装着され使用される際の姿勢である使用姿勢において、前記液体収容室送出口よりも上部に位置する流路部分を備える、液体容器。
【請求項９】
請求項８記載の液体容器であって、
前記液体センサ部流入口は、前記使用姿勢において、前記液体収容室送出口よりも上方にある、液体容器。
【請求項１０】
請求項８または９に記載の液体容器であって、さらに、
前記液体センサ部から前記液体を送出する液体センサ部送出ロと、前記バッファ室内に前記液体を受け入れるバッファ室流入口と、を接続する第２の液体流路を備え、
前記バッファ室流入口は、前記使用姿勢において前記液体センサ部送出ロよりも下方にある、液体容器。
【請求項１１】
請求項８記載の液体容器であって、
前記第１の液体流路は、
前記使用姿勢において、前記液体が前記流通経路を上方に向かう部分となる第１の流路部分と、
前記第１の流路部分と前記液体センサ部との間に位置し、前記使用姿勢において、前記液体が前記流通経路を下方に向かう部分となる第２の流路部分と、を備える、液体容器。
【請求項１２】
請求項８に記載の液体容器であって、さらに、
前記液体センサ部から前記液体を送出する液体センサ部送出ロと、前記バッファ室内に前記液体を受け入れるバッファ室流入口と、を接続する第２の液体流路を備え、
前記第２の液体流路は、
前記使用姿勢において、前記液体が前記流通経路を上方に向かう部分となる第１の流路部分と、
前記第１の流路部分と前記液体センサ部との間に位置し、前記使用姿勢において、前記液体が前記流通経路を下方に向かう部分となる第２の流路部分と、を備える、液体容器。
【手続補正２】
【補正対象書類名】明細書
【補正対象項目名】０００７
【補正方法】変更
【補正の内容】
【０００７】
本発明は、上述の課題の少なくとも一部を取り扱うためになされたものであり、以下の形態又は適用例として実現することが可能である。
態様１：
液体を収容することができる液体収容室と、
液体噴射装置に前記液体を供給することができる液体供給部と、
前記液体収容室から前記液体供給部に至る前記液体の流通経路の中において、前記液体収容室と前記液体供給部との間に設けられ、前記液体収容室から前記液体を送出する液体収容室送出口よりも上部に位置する流路部分を有する第１の液体流路と、を備え、
前記液体噴射装置に装着され使用される際の姿勢である使用姿勢において、前記第１の液体流路は、前記液体が前記流通経路を上方に向かう部分となる第１の流路部分と、前記第１の流路部分と前記液体供給部との間に位置し、前記液体が前記流通経路を下方に向かう部分となる第２の流路部分とを有する、ことを特徴とする液体容器。
態様２：
態様１の液体容器であって、さらに、
前記流通経路の中において、前記液体収容室と前記液体供給部との間に設けられ、前記液体の有無を検知することができる液体センサ部と、を備え、
前記流通経路の中において、前記第１の液体流路が前記液体収容室と前記液体センサ部との間に位置する、ことを特徴とする液体容器。
態様３：
態様１の液体容器であって、さらに、
前記液体収容室内に設けられる第１の攪拌部を備え、
前記液体噴射装置によって前記液体収容室が往復運動されるとき、前記第１の攪拌部が前記液体収容室とは異なる動きをして前記液体収容室内の液体を攪拌するものである、ことを特徴とする液体容器。
態様４：
態様２の液体容器であって、さらに、
前記流通経路の中において、前記液体センサ部と前記液体供給部との間に設けられ、前記液体を収容することができるバッファ室と、
前記流通経路の中において、前記液体センサ部と前記バッファ室との間に設けられる第２の液体流路と、
前記バッファ室内に設けられる第２の攪拌部と、を備え、
前記液体噴射装置によって前記液体収容室が往復運動されるとき、前記第２の攪拌部が前記バッファ室とは異なる動きをして前記バッファ室内の液体を攪拌するものである、ことを特徴とする液体容器。
態様５：
液体を収容することができる液体収容室と、
液体噴射装置に前記液体を供給することができる液体供給部と、
前記液体収容室から前記液体供給部に至る前記液体の流通経路の中において、前記液体収容室と前記液体供給部との間に設けられ、前記液体の有無を検知することができる液体センサ部と、
前記流通経路の中において、前記液体センサ部と前記液体供給部との間に設けられ、前記液体を収容することができるバッファ室と、
前記流通経路の中において、前記液体センサ部と前記バッファ室との間に設けられ、前記液体センサ部から前記液体を送出する液体センサ部送出口よりも上部に位置する流路部分を有する液体流路と、を備え、
前記液体容器が前記液体噴射装置に装着され使用される際の姿勢である使用姿勢において、前記液体流路は、前記液体が前記流通経路を上方に向かう部分となる第１の流路部分と、前記第１の流路部分と前記液体供給部との間に位置し、前記液体が前記流通経路を下方に向かう部分となる第２の流路部分とを有する、ことを特徴とする液体容器。
態様６：
態様５の液体容器であって、さらに、
前記流通経路の中において、前記液体収容室と前記液体供給部との間に設けられ、前記液体収容室から前記液体を送出する液体収容室送出口よりも上部に位置する流路部分を有する他の液体流路と、を備える、ことを特徴とする液体容器。
態様７：
液体を収容することができる液体収容室と、
液体噴射装置に前記液体を供給することができる液体供給部と、
前記液体収容室から前記液体供給部に至る前記液体の流通経路の中において、前記液体収容室と前記液体供給部との間に設けられ、前記液体の有無を検知することができる液体センサ部と、
前記液体収容室から前記液体供給部に至る前記液体の流通経路の中において、前記液体センサ部と前記液体供給部との間に設けられ、前記液体を収容することができるバッファ室と、
前記液体収容室内に設けられる第１の攪拌部と、
前記バッファ室内に設けられる第２の攪拌部と、を備え、
前記液体噴射装置によって前記液体収容室および前記バッファ室が往復運動されるとき、前記第１の攪拌部が前記液体収容室とは異なる動きをして前記液体収容室内の液体を攪拌し、前記第２の攪拌部が前記バッファ室とは異なる動きをして前記バッファ室内の液体を攪拌するものである、ことを特徴とする液体容器。
態様８：
態様７の液体容器であって、さらに、
前記液体収容室から前記液体を送出する液体収容室送出口と、前記液体センサ部内に前記液体を受け入れる液体センサ部流入口と、を接続する第１の液体流路を備え、
前記第１の液体流路は、前記液体容器が前記液体噴射装置に装着され使用される際の姿勢である使用姿勢において、前記液体収容室送出口よりも上部に位置する流路部分を備える、液体容器。
態様９：
態様８の液体容器であって、
前記液体センサ部流入口は、前記使用姿勢において、前記液体収容室送出口よりも上方にある、液体容器。
態様１０：
態様８または９の液体容器であって、さらに、
前記液体センサ部から前記液体を送出する液体センサ部送出ロと、前記バッファ室内に前記液体を受け入れるバッファ室流入口と、を接続する第２の液体流路を備え、
前記バッファ室流入口は、前記使用姿勢において前記液体センサ部送出ロよりも下方にある、液体容器。
態様１１：
態様８の液体容器であって、
前記第１の液体流路は、
前記使用姿勢において、前記液体が前記流通経路を上方に向かう部分となる第１の流路部分と、
前記第１の流路部分と前記液体センサ部との間に位置し、前記使用姿勢において、前記液体が前記流通経路を下方に向かう部分となる第２の流路部分と、を備える、液体容器。
態様１２：
態様８の液体容器であって、さらに、
前記液体センサ部から前記液体を送出する液体センサ部送出ロと、前記バッファ室内に前記液体を受け入れるバッファ室流入口と、を接続する第２の液体流路を備え、
前記第２の液体流路は、
前記使用姿勢において、前記液体が前記流通経路を上方に向かう部分となる第１の流路部分と、
前記第１の流路部分と前記液体センサ部との間に位置し、前記使用姿勢において、前記液体が前記流通経路を下方に向かう部分となる第２の流路部分と、を備える、液体容器。